(57)【要約】【課題】天井や壁面に簡単に設置することが可能になり、しかも、室内の除菌と共に吸音効果も期待できる除菌用化粧板を提供する。【解決手段】ロックウールと珪藻土とバインダーとヨウ素樹脂とを混合して化粧板１を板状に形成する。化粧板１は、５０〜８０重量％のロックウールと、１０〜４０重量％の珪藻土と、３〜１０重量％のバインダーと、０．５〜５重量％のヨウ素樹脂とが混入されている。天井下地１０の下面又は壁面の表側に、接着剤又は両面テープ又はタッカー針３にて化粧板１を接合する。【選択図】  図２
0003166942.tif 000002
【実用新案登録請求の範囲】
【請求項１】
ロックウールに珪藻土とバインダーとヨウ素樹脂とを混入して化粧板を形成したことを特徴とする除菌用化粧板。
【請求項２】
前記化粧板は、５０〜８０重量％のロックウールと、１０〜４０重量％の珪藻土と、３〜１０重量％のバインダーと、０．５〜５重量％のヨウ素樹脂とが混入された請求項１記載の除菌用化粧材。
【請求項３】
前記化粧板は、天井下地の下面又は室内壁の表側に接合するように設けられた請求項１又は２記載の除菌用化粧板。
【請求項４】
前記化粧板は、前記天井下地の下面又は壁面の表側に、接着剤又は両面テープ又はタッカー針にて接合されるように設けた請求項３記載の除菌用化粧材。
【請求項５】
前記化粧板は、天井下地又は室内壁として構成された請求項１又は２記載の除菌用化粧板。
【考案の詳細な説明】
【技術分野】
【０００１】
本考案は、主に天井や壁面に設置される除菌用化粧板に係り、室内の除菌と共に吸音効果も期待できる除菌用化粧板に関するものである。
【背景技術】
【０００２】
住宅建築等において、吸音材としてロックウールが使用されている。この吸音材としてのロックウールは、特許文献１や特許文献２などに示されるように、主に、天井材として多く使用されている。
【０００３】
各特許文献に記載されている天井材は、いずれもロックウールの折り曲げ強度を高めることを目的としたものである。例えば、特許文献１は、天井下地の上面に岩綿吸音板を貼着し、また、特許文献２は、天井板の裏面全体に柔軟性のある薄いシートを張り付けたものである。
【０００４】
一方、当出願人は、先に除菌用内装壁の成形方法を提案している（特許文献３）。この除菌用内装壁は、珪藻土を基材とした壁材にヨウ素吸着樹脂を混合した壁材で、空気に含まれている室内の菌類が壁材のヨウ素吸着樹脂に触れると除菌することができるといった優れた効果を奏するものである。
【先行技術文献】
【特許文献】
【０００５】
【特許文献１】実用新案登録第２５４２６３２号公報
【特許文献２】実開昭６２−１７３４０４号公報
【特許文献３】特許第４２７３５０３号公報
【考案の概要】
【考案が解決しようとする課題】
【０００６】
吸音効果のあるロックウールの板材は、各特許文献のごとく天井材として使用される外、吸音効果を利用して室内の防音用化粧板としても利用されている。
【０００７】
一方、当出願人が先に提案した除菌用内装壁の成形方法では、室内の壁面を利用して部屋の除菌を行うものである。この成形方法は、まず内装壁に下塗りを施して下地層を形成し、次に、珪藻土を基材とした壁材で内装壁の上塗りを施して仕上げ層を形成する成形方法である。つまり、この除菌用内装壁の成形方法は湿式施工になり、内装壁自体の重量が嵩むものになっているため、既存の天井板に使用することは困難であった。また、リフォーム時に既存の備品やその他を片付ける手間を要するので、従来の化粧板のごとく既存の壁面に簡単に施工することもできなかった。
【０００８】
そこで、考案者は先の特許を改良し、除菌効果を維持しながら極めて軽量な化粧板１を形成することで、天井や壁面の表面に簡単に設置することが可能になり、しかも、室内の除菌と共に吸音効果も期待できる除菌用化粧板の提供を目的とするものである。
【課題を解決するための手段】
【０００９】
上述の目的を達成すべく本考案の第１の手段は、ロックウールに珪藻土とバインダーとヨウ素樹脂とを混入して化粧板１を形成したことにある。
【００１０】
第２の手段の前記化粧板１は、５０〜８０重量％のロックウールと、１０〜４０重量％の珪藻土と、３〜１０重量％のバインダーと、０．５〜５重量％のヨウ素樹脂とが混入されたものである。
【００１１】
第３の手段において、前記化粧板１は、天井下地１０の下面又は室内壁２０の表側に接合するように設けられている。
【００１２】
第４の手段において、前記化粧板１は、前記架台１０の下面又は室内壁２０の表側に、接着剤２又は両面テープ又はタッカー針３にて接合されるように設けている。
【００１３】
第５の手段の化粧板１は、天井下地１０又は室内壁２０として構成されたことを課題解消のための手段とする。
【考案の効果】
【００１４】
本考案によると、請求項１のごとく、ロックウールに珪藻土とバインダーとヨウ素樹脂とを混入して形成した化粧板１により、除菌効果を維持しながら極めて軽量な化粧板１を形成することができた。しかも、ロックウールの特性により、吸音効果を奏するものである。
【００１５】
請求項２のように、前記化粧板１は、５０〜８０重量％のロックウールと、１０〜４０重量％の珪藻土と、３〜１０重量％のバインダーと、０．５〜５重量％のヨウ素樹脂とが混入されたことにより、軽量で、除菌効果と吸音効果とに優れた除菌用化粧板を提供できる。
【００１６】
また、請求項３のように、天井下地１０の下面又は室内壁２０の表側に接合するように化粧板１を設けたことで、天井や壁面の表面に簡単に接合することが可能になり、室内の除菌をより簡単に行うことが可能になった。また、従来の除菌用内装壁のような湿式施工ではないので、リフォーム時に既存の備品やその他を片付ける手間も要しない。
【００１７】
請求項４のごとく、天井下地の下面又は壁面の表側に、接着剤又は両面テープ又はタッカー針にて接合されるように化粧板１を設けているので、既存の天井下地１０や室内壁２０に簡単に接合して化粧板１を装着することができるものである。この結果、薄い化粧板１でも十分な強度を有するものになる。
【００１８】
更に、請求項５のごとく、本考案化粧板１を、天井下地１０又は室内壁２０として使用することも可能である。この場合、天井下地１０や室内壁２０全体が除菌効果と吸音効果を発揮するものになり、より長時間の除菌効果や高い吸音効果が得られる。
【図面の簡単な説明】
【００１９】
【図１】本考案の一実施例を示す断面図である。
【図２】本考案を天井下地に接合した状態を示す断面図である。
【図３】本考案を室内壁に接合した状態を示す断面図である。
【考案を実施するための形態】
【００２０】
本考案によると、除菌効果を維持しながら極めて軽量な化粧板１を形成することが可能になり、天井や壁面に簡単に設置することができ、しかも、室内の除菌と共に吸音効果も期待できるなどといった当初の目的を実現した。
【実施例】
【００２１】
以下、本考案を図示例に基づいて説明する。本考案は、天井や壁面に設置する化粧板１として構成する。この化粧板１は、基材をロックウールと珪藻土とを基材とし、これらの中に、バインダーとヨウ素樹脂とを混入して板状に形成したものである。
【００２２】
化粧板１を構成する材質の混合率として、ロックウールを５０〜８０重量％に、珪藻土１０〜４０重量％を混合したものを基材として使用する。そして、この基材の中に、セルロースやでん粉等のバインダーを３〜１０重量％を混合し、更に、０．５〜５重量％のヨウ素樹脂を混入したものである。また、この外のバインダー用の骨材として、石膏、炭酸カルシウム、その他少量の骨材を混入することで、化粧板１をより強固に成形することができる。
【００２３】
化粧板１の形状は、長方形状や正方形状の矩形状を基本とし、この他、三角形状、多角形状、円形状などに成形することができる。例えば、化粧板１を天井板として使用する場合、板厚を５〜２０mm程度に設定し、３００×４５０mm等のサイズの化粧板１を用意しておき、所定の天井下地１０に接合して固定する。尤も、化粧板１のサイズも任意に設定することが可能である。
【００２４】
化粧板１は、天井下地１０の下面や室内壁２０の表側に接合することが可能である。この場合、化粧板１の固定手段は、例えば、接着剤２、両面テープ、タッカー針３等、従来周知の接合手段から選択することができる。
【００２５】
図２に示す化粧板１は、天井下地１０の下面にタッカー針３にて接合した状態を示している。また、図３に示す化粧板１は、室内壁２０の表面に接着剤２を使用して接合した状態を示している。
【００２６】
また、化粧板１を天井下地１０又は室内壁２０として構成し、天井や壁面に直接設置することも可能である。この場合、天井下地１０等に接合する化粧板１より厚みのある化粧板１となる。このとき、骨材として石膏、炭酸カルシウム等、化粧板１の強度を高める骨材を配合する。
【産業上の利用可能性】
【００２７】
本考案において、化粧板１は主に天井下地１０や室内壁２０に接合するものとして説明しているが、これらの接合例に限定されるものではなく、他の部材への接合も可能である。また、天井下地１０の厚みを調整することで、天井下地１０や室内壁２０以外の壁材等として使用することも可能である。更に、本考案の成分比率や混合成分の変更も自由であり、更に、本考案の構成も図示例に限定されるものではなく、本考案の要旨を変更しない範囲で任意に変更することができる。
【符号の説明】
【００２８】
１  化粧板
２  接着剤
３  タッカー針
１０  天井下地
２０  室内壁
【図１】
0003166942.tif 000003
【図２】
0003166942.tif 000004
【図３】
0003166942.tif 000005
【手続補正書】
【提出日】平成23年1月24日(2011.1.24)
【手続補正１】
【補正対象書類名】実用新案登録請求の範囲
【補正対象項目名】請求項２
【補正方法】変更
【補正の内容】
【請求項２】
前記化粧板は、５０〜８０重量％のロックウールと、１０〜４０重量％の珪藻土と、３〜１０重量％のバインダーと、０．５〜５重量％のヨウ素樹脂とが混入された請求項１記載の除菌用化粧板。
【手続補正２】
【補正対象書類名】実用新案登録請求の範囲
【補正対象項目名】請求項４
【補正方法】変更
【補正の内容】
【請求項４】
前記化粧板は、前記天井下地の下面又は壁面の表側に、接着剤又は両面テープ又はタッカー針にて接合されるように設けた請求項３記載の除菌用化粧板。